(57)【特許請求の範囲】
【請求項１】
複数個並列された容器の上面を覆うトップパネルと、このトップパネルの両側部に連設され前記容器列の側部を覆う左右のサイドパネルと、これらサイドパネルの先端に連設され互いに係着し得る係止部を有するボトムパネルとを備え、前記ボトムパネルを係着することにより前記容器の上部、側部、および下部を囲繞して包装するパック用シートにおいて、前記サイドパネルの各端部に内側に折り込んで前記トップパネルの隅部とサイドパネルの上下部とに容器の脱落を防ぐためのガゼットを構成する折り込み片を有し、この折り込み片のサイドパネル連設部から該折り込み片にかけて引張り片を打ち抜いて形成し、前記容器包装後、前記引張り片が前記サイドパネルの端部から突出して手掛け用の摘みを構成するとともに、この引っ張り片が前記容器および前記容器を覆うトップパネルの端部より突出しないように構成されていることを特徴とするパック用シート。
【請求項２】
前記引張り片が対偶部に設けられている請求項１記載のパック用シート。
【請求項３】
前記引張り片に手掛け用の孔を有している請求項１または２記載のパック用シート。
【発明の詳細な説明】
【０００１】
【発明の属する技術分野】
本発明は、例えば缶ビールや缶ジュース等の多数の容器を並列した状態のまま包装するパック用シートに関する。
【０００２】
【従来の技術】
従来から缶ビールや缶ジュース等を纏め売りするために、これらの容器を複数個１列あるいは複数列で起立状態に整列させて置き、つぎに容器の上部、側部、および下部を囲繞して包装するようにした紙製のパック用シートが採用されており、これにより多数の缶類を１個の包装体とすることで一挙に運搬できることから前記パック用シートによる包装が広く普及されている。
【０００３】
このような１個のパック用シートに収納された缶ビール等は例えば卸元から小売り店等に引き渡す場合には、通常１個のカートンケース内に手前側の開口部のフラップを開いてパック用シートでパックされた缶パック４個を２列２行に収納して搬出するようにしている。
【０００４】
【発明が解決しようとする課題】
したがって小売り店等においては逆にカートンケース内に納められた缶入りのパックを個々に取出す作業が必要となる。
【０００５】
この場合は前述とは逆の作業でカートンケースからは側面に設けられている開口面の上下のフラップを開いて手前の左右から１パックずつ引き出し、続いて奥の左右から１個ずつ引き出すようにしている。
【０００６】
しかしながら従来から使用されているパック用シートには引き出しの際に手掛りがないため、その都度パック用シートの適当な部分を手で掴んで引き出さなければならず、最悪の場合にはパック用シートが破れてしまうこともあって取出し作業が容易ではなく、極めて非能率であった。
【０００７】
本発明は上記従来の問題点に着目し、カートンケースからの引出しを容易とするパック用シートを提供することにある。
【０００８】
【課題を解決するための手段】
上記課題を解決する手段として本発明は、複数個並列された容器の上面を覆うトップパネルと、このトップパネルの両側部に連設され前記容器列の側部を覆う左右のサイドパネルと、これらサイドパネルの先端に連設され互いに係着し得る係止部を有するボトムパネルとを備え、前記ボトムパネルを係着することにより前記容器の上部、側部、および下部を囲繞して包装するパック用シートにおいて、前記サイドパネルの各端部に内側に折り込んで前記トップパネルの隅部とサイドパネルの上下部とに容器の脱落を防ぐためのガゼットを構成する折り込み片を有し、この折り込み片のサイドパネル連設部から該折り込み片にかけて引張り片を打ち抜いて形成し、前記容器包装後、前記引張り片が前記サイドパネルの端部から突出して手掛け用の摘みを構成するとともに、この引っ張り片が前記容器および前記容器を覆うトップパネルの端部より突出しないように構成するようにしたことである。
【０００９】
これによりパック用シートをカートンケースより引き出す際に引張り片が手掛け用の摘みとなるためカートンケースにきっちり詰まっていても引き出しが容易となる。
【００１０】
また前記引張り片を対偶部に設ければ、カートンケース内に収納されたパック用シートは必ず引張り片が手前に位置するので引き出しが容易となる。
【００１１】
さらに引張り片に手掛け用の孔を穿設しておけば引張り片を掴んだ指が滑ることがなくなり、引き出しが確実に行える。
【００１２】
【発明の実施の形態】
以下、本発明を図面に示す実施の形態を参照して説明する。
【００１３】
図１は本発明のパック用シートの一例の展開図を示すもので、この例では容器として５００ｃｃ入りの缶ビール６缶を包装するためのパック用シートを示している。
【００１４】
パック用シート１は、図１に示す展開図に示すよう横長に矩形状を有し、図における中央部分はトップパネル２に、その左側部分はサイドパネル３に、右側部分はサイドパネル４に、そしてサイドパネル３の先端側となる左側部分はボトムパネル５に、サイドパネル４の先端側となる右側部分はボトムパネル６にそれぞれ形成されている。
【００１５】
トップパネル２は、直列３個を並列に起立状態に整列させたビール缶６個の上面を覆うように縦辺１ａはビール缶３本分、横方向は２本分の長さからなる面積を有し、トップパネル２の両側にはビール缶の側部を覆うようにその高さに相当する幅を有するサイドパネル３，４がそれぞれ境界線をなす折り線２ａ，２ｂを介して連設されている。
【００１６】
ボトムパネル５、６はビール缶の底部を覆うように設けられているもので、ボトムパネル５はサイドパネル３と、ボトムパネル６はサイドパネル４とそれぞれ境界線をなす折り目３ａ，４ａを介して連設されている。
【００１７】
ボトムパネル５、６には先端部に互いに係着し得る雌側の係止部７、および雄側の係止部８がそれぞれ形成されており、ボトムパネル５側の係止部７は、先端部を形成するパック用シート１の一方の縦辺１ａに平行な第１係止部７ａと、その内側に同じく縦辺１ａに平行に設けられた第２係止部７ｂとからなり、これら第１係止部７ａ、第２係止部７ｂは縦辺１ａの中央とその両端側の３個所にそれぞれ設けられている。
【００１８】
この実施形態では第１係止部７ａの形状は切抜かれた縦長の四角孔となっていて、その孔の一辺ａが係合部に形成され、第２係止部７ｂの形状は切り込みとなっている。
【００１９】
これに対しボトムパネル６側の雄側の係止部８は、前記第１係止部７ａ、および第２係止部７ｂとにそれぞれ係着し得るよう他方の縦辺１ａ上の中心とその両端側に設けられた第１係止部８ａと、その係止部８ａのからそれぞれ外側へ突出させて設けられた３個所の第２係止部８ｂとからなっている。
【００２０】
この実施形態では第１係止部８ａの形状は縦辺１ａに平行な直線で中央が内側に凹部ｂとなる切り込みとなっており、第２係止部８ｂの形状は第１係止部８ａの幅から縦辺１ａの外側へ先細りとなって首部ｄに至りこれに続く先端は首部ｄより幅のある頭部ｃに形成されている。
【００２１】
また前記サイドパネル３，４の横辺１ｂ側の各端部には内側に折り込んで前記トップパネル２、およびボトムパネル５、６の隅部との間にビール缶の脱落を防ぐためのガゼット１０ａ，１０ｂを構成する折り込み片９が境界線をなす折り線３ｂ，４ｂを介して連設されている。
【００２２】
この折り込み片９は、４個あるうちの少なくとも２個にはサイドパネル３，４側を基辺として該折り込み片９側に３方が切れ目となるように台形状に打ち抜かれた引張り片１１が対偶関係に設けられている。なおこの引張り片１１は前記折り込み片９のすべてに設けておき、包装時に任意の引張り片１１を使用するようにしてもよい。
【００２３】
なお折り込み片９の折り目３ｂ，４ｂには内側に折り易くするために切り込みを入れてもよいが、折り込み片９が内側へ折り込まれる際に引張り片１１が追従して折り込まれるのを避けるため基辺側には折り線を設けない方が望ましい。
【００２４】
この引張り片１１はビール缶を包装する際にサイドパネル３，４の端部から突出させるように形成されるもので、パック用シート１全体を引出す際に手掛け用の摘みとなるものである。なおこの引張り片１１には中央位置に指で挟んだ際に滑らないように指先が入らない程度の大きさの孔１２を設けることができる。
【００２５】
図中、符号１３はコンプレッションホール（６個所）、符号１４ａは山折り線、符号１４ｂは谷折り線、符号１５ａはトップガゼットホール（４個所）、符号１５ｂはボトムガゼットホール（４個所）、符号１６はフィンガーホール（２個所）、符号１７は切取り線、符号１８はロット確認窓である。
【００２６】
つぎに作用を説明する。
【００２７】
まず図１に示したパック用シート１を裏返して、そのトップパネル２部分の上部にビール缶６本の底部を上向きとして直列した３本を並列させて載置する。
【００２８】
その上でビール缶の側部を覆うようにサイドパネル３，４を折り線２ａ，２ｂを境界線として内側に折り、さらにビール缶の底部を覆うようにボトムパネル５、および６を折り線３ａ，４ａを境界線として内側に折り、ボトムパネル６の縦辺１ａに設けられている雄側の第２係止部８ｂを頭部ｃからボトムパネル５側の縦辺１ａに設けられている雌側の第１係止部７ａの孔を通して第２係止部７ｂと互いに係着させて第１係止部８ａの首部ｄで抜け止めするとともに、雄側の第１係止部８ａの凹部ｂを雌側の第１係止部７ａの横長の四角孔を形成する一辺ａに係着させることによりパック用シート１は無端状態に形成されてビール缶に帯がかかった状態の缶入りパックとなる。
【００２９】
このとき各折り込み片９が内側に折り込まれるとトップパネル２とサイドパネル３，４との隅部にトップガゼット１０ａが、またサイドパネル３，４とボトムパネル５，６との隅部にボトムガゼット１０ｂがそれぞれ形成され、パック用シート１に包装されたビール缶の抜け止めがなされる。
【００３０】
また折り込み片９が内側に折り込まれたとき、引張り片１１は折り込み片９から打ち抜かれているために一緒に折り込まれずに折り込み片９から突出した状態となる。
【００３１】
このパック用シート１をトップパネル２面が上になるように反転させると図２に示す斜視図のような形態となり、引張り片１１はサイドパネル３，４から突出している状態となる。
【００３２】
図３は図２の平面図で包装されたビール缶１９とサイドパネル３，４から突出した引張り片１１を示す。この場合引張り片１１は図示からわかるように直列に並べられたビール缶１９の先端より突出しない状態になる。
【００３３】
図４は図２のような缶入りのパック用シート１を内装するカートンケース２０の斜視図を示すもので、この中には図５に示すように缶入りパックが直列および並列に４個収納されるような大きさとなっており、４個を収納するときには短手側面の上下・左右のフラップ２０ａ，２０ｂを開いて図５のようにした後、フラップ２０ａ，２０ｂを閉じて収納が終了する。
【００３４】
このように収納されたカートンケース２０から缶入りパックを取り出す場合は、図５に示すようにフラップ２０ａ，２０ｂを開くと、パック用シート１には引張り片１１の１個が必ず手前側に位置するように包装されているから、引張り片１１に手を掛けて引っ張ることにより取り出しが容易に行える。取り出されたパック用シート１から個々のビール缶１９を取出す場合は、図２に示すようにトップパネル２面に設けられている切取り線１７を端面から引上げるように切取ることにより個々のビール缶１９はパック用シート１の包装から解放されて取出すことができる。
【００３５】
なお本発明の実施形態ではビール缶の包装の場合について説明したが、ビール缶の包装に限定したものでなく、ジュース缶、その他缶以外の例えば小瓶ドリンク等瓶の包装の場合にもこれに適した大きさのパック用シートを使用することにより実施可能である。
【００３６】
またボトムパネル同士の結合に用いた係止部についてもこの実施形態に限定されるものではなく、適宜変更することは自由である。
【００３７】
【発明の効果】
本発明は以上説明したように構成したからつぎのような効果が得られる。
【００３８】
１）請求項１によれば、パック用シートをカートンケースより引き出す際に引張り片が手掛け用の摘みとなるため引き出しが容易となる。
【００３９】
２）請求項２によれば、少なくとも引張り片を対偶部に設けたことによりカートンケース内に収納されたパック用シートは必ず引張り片が手前に位置するので引き出しが容易となる。
３）請求項３によれば、引張り片に手掛け用の孔を有しているために引張り片を掴んだ指が滑ることなく引き出しが確実に行える。
【図面の簡単な説明】
【図１】本発明にかかるパック用シートの展開図。
【図２】図１のパック用シートにより包装された缶類を示す斜視図。
【図３】図２の平面図。
【図４】本発明のパック用シートにより包装された缶入りパックを収納するカートンケースを示す斜視図。
【図５】図４のカートンケース内に収納された複数個の缶入りパックの状態を示す斜視図。
【符号の説明】
１  パック用シート
２  トップパネル
３，４  サイドパネル
５，６  ボトムパネル
７ａ，７ｂ，８ａ，８ｂ  係止部
９  折り込み片
１０ａ，１０ｂ  ガゼット
１１  引張り片
１２  孔
１９  容器
【図１】
0003680104.tif 000002
【図２】
0003680104.tif 000003
【図３】
0003680104.tif 000004
【図４】
0003680104.tif 000005
【図５】
0003680104.tif 000006